(57)【特許請求の範囲】
【請求項１】
常時は１次電源を電源出力として出力し、停電時には前記１次電源により充電された電源にもとづいて前記１次電源に代わる２次電源を前記電源出力として出力する無停電電源装置（以下、ＵＰＳという）にもとづいて所定の動作を行う電動装置の電源制御方法であって、
前記１次電源を、第１の電源開閉部分を介して、前記ＵＰＳと、前記１次電源により動作して前記１次電源が与えられたときに第１の信号を出力する第１の検出部分とに与える手順と、
前記電源出力を、第２の電源開閉部分を介して、前記電動装置に与えることにより前記所定の動作を行わせるとともに、第２の信号を出力する手順と、
前記第２の信号が無く、前記第１の信号があることにもとづいて前記第２の電源開閉部分を閉じ状態にすることにより前記所定の動作を開始させるとともに、前記閉じ状態を維持する手順と、
前記所定の動作を終了するための第３の信号を出力する手順と、
前記第２の信号と前記第３の信号との両方があることにもとづいて第４の信号を出力する手順と、
前記第４の信号にもとづいて前記第４の信号が出力された時点から前記終了に要する所定の時間だけ遅れた時点に第５の信号を出力する手順と、
前記第５の信号にもとづいて前記第２の電源開閉部分を開く手順と
により構成された電源制御方法。
【請求項２】
前記所定の時間を予め定めた複数の時間のうちから選択する手順を有する請求項１の電源制御方法。
【請求項３】
常時は１次電源を電源出力として出力し、停電時には前記１次電源により充電された電源にもとづいて前記１次電源に代わる２次電源を前記電源出力として出力する無停電電源装置（以下、ＵＰＳという）にもとづいて所定の動作を行う電動装置の電源制御装置であって、
第１の電源開閉部分により、前記１次電源を、前記ＵＰＳと、前記１次電源により動作して前記１次電源が与えられたときに第１の信号を出力する第１の検出部分とに与える第１開閉手段と、
前記電源出力を、第２の電源開閉部分を介して、前記電動装置に与えることにより前記所定の動作を行わせるとともに、第２の信号を出力する第２開閉手段と、
前記第２信号の否定信号と前記第１の信号との論理積にもとづいて前記第２の電源開閉部分を閉じ状態にすることにより前記所定の動作を開始させるとともに、前記閉じ状態を保持する動作開始手段と、
前記所定の動作を終了するための第３の信号を出力する第３信号手段と、
前記第２の信号と前記第３の信号との論理積にもとづいて第４の信号を出力する第４信号手段と、
前記第４の信号にもとづいて前記第４の信号が出力された時点から前記終了に要する所定の時間だけ遅れた時点に第５の信号を出力する遅延信号手段と、
前記第５の信号にもとづいて前記第２の電源開閉部分を開く電源遮断手段と
を具備することを特徴とする電源制御装置。
【請求項４】
前記所定の時間を、予め設けた複数の時間のうちから選択する時間選択手段を具備することを特徴とする請求項３の電源制御装置。
【発明の詳細な説明】
【０００１】
【発明の属する技術分野】
この発明は、無停電電源装置（以下、ＵＰＳという）を介して所定の動作を行う動作装置に対する電源制御方法ならびに電源制御装置に関するものである。
【０００２】
【従来の技術】
この種の装置に用いるＵＰＳとしては、図５のように、停電時の電源切換に加えて停電警報のみを設けた構成（以下、第１従来技術という）の構成と、図６のように、停電時の電源切換に加えて、停電信号、充電量信号などを出力する構成（以下、第２従来技術という）とが周知である。なお、以下の各図において、同一の符号で示す部分は、いずれかの図によって説明する同一符号の部分と同一の機能をもつ部分である。
【０００３】
図５において、１次電源１００は、停電の可能性がある交流電源、例えば、商用交流電源であって、開閉器１０１を介して、ＵＰＳ２００に与えている。開閉器１０１は、手動または電動による開閉器であって、手動の場合は、例えば、手動切換スイッチであり、電動の場合は、例えば、手動切換スイッチと過負荷継電器とを組み合わせたブレーカー付きの切換スイッチである。
【０００４】
自己切換器２０１は、常時は、回路を開く状態（以下、「開」状態という）になっているが、１次電源１００が与えられている間だけ、回路を閉じた状態（以下、「閉」状態という）になる可動接点２０１Ａと、常時は「閉」状態で、１次電源１００が与えられている間だけ「開」状態になる可動接点２０１Ｂとをもつ切換器であり、例えば、２つの可動接点２０１Ａ・２０１Ｂをもつ継電器の励磁コイルに１次電源１００を与えるようにしたものである。
【０００５】
したがって、自己切換器２０１は、１次電源１００が通電しているときは、可動接点２０１Ａが閉じて、１次電源１００を電源出力３００として出力するが、１次電源１００が停電すると、整流／充電回路２０２の出力を直流／交流変換器２０３に与えて得られる２次電源２１０を電源出力として出力する。
【０００６】
なお、ここで、開閉器１０１を「開」状態にしたときも同様に動作するが、整流／充電回路２０２の充電量には限度があるので、電源出力３００を利用している負荷側の電動装置（図示せず）の動作を所定時間内に停止して、負荷を遮断する必要がある。
【０００７】
整流／充電回路２０２は、１次電源１００を整流して２次電池に充電する部分であり、例えば、整流器と蓄電地とを組み合わせたものであって、必要に応じて変圧器を設けるとともに、充電量が所定量以上になった際に充電を停止する遮断回路を設けてある。
【０００８】
直流／交流変換器２０３は、整流／充電回路２０２が出力する直流を交流に変換する部分であって、例えば、サイリスタによる交流発生器であり、必要に応じて出力電圧の調整機能を設けてある。
【０００９】
切換検出回路２０５は、自己切換器２０１の可動接点２０１Ｂが「閉」状態になったこと、すなわち、１次電源１００が停電したことを検出して得られる出力を所定の短時間、例えば、５秒間だけ出力するものであって、例えば、抵抗器による分圧回路とタイマーとの組み合わせであり、所要の電圧を検出出力として得るとともに、その検出出力をタイマーの時間だけ出力する回路である。また、その出力を警報端子２０７に与えており、必要に応じて、外部に設けた停電警報回路を動作させることもできる。
【００１０】
停電警報回路２０６は、切換検出回路２０５からの検出出力が与えられている間だけ所定の警報を発生する回路であって、例えば、警音ブザーと警報ランプとを動作させる回路である。
【００１１】
また、図６の第２従来技術の構成が、図５の第１従来技術の構成と異なる箇所は次の箇所である。第１には、停電警報回路２０６を除去して、切換検出回路２０５の出力を停電信号２４０として出力するとともに、充電検出回路２０４を設けて整流／充電回路２０２の充電量を検出して得られる検出出力を残量信号２３０として出力するようにした箇所である。
【００１２】
そして、第２には、充電量検出回路２０４は、例えば、整流／充電回路２０２内の２次電池の出力端子間に、所要の負荷抵抗器を短時間だけ接続するスイッチ回路とその接続中の電圧値を、最大値に充電された場合の電圧値と比較して得られる信号、例えば、１００分率（％）で表したレベル信号またはディジタル信号を出力するようにした箇所である。
【００１３】
上記の第１従来技術の構成によるＵＰＳ２００を用いて駆動電動部を動作させる電動装置の電源制御を行う構成として、図７の電源制御装置１０００の構成（以下、第３従来技術という）が周知であり、また、上記の第２従来技術の構成によるＵＰＳ２００を用いて駆動電動部を動作させる電動装置の電源制御を行う構成として、図８の電源制御装置１０００の構成（以下、第４従来技術という）が周知である。
【００１４】
ここで、この発明において、電動装置とは、ＵＰＳ２００の電源出力３００によって駆動される部分、例えば、パーソナルコンピュータ（以下、パソコンという）、電動機により駆動される機械装置、パソコンまたはマイクロコンピュータによる制御部（以下、ＣＰＵという）、ＣＰＵによって制御される電動機などにより駆動される機械装置などの総称である。
【００１５】
図７において、ＵＰＳ２００の電源出力３００は、開閉器５５０を介して、駆動電動部５２０と表示部５２１とに与えており、また、警報端子２０７からの警報信号２０７Ａは、表示部５２１に与えている。
【００１６】
そして、駆動電動部５２０は、電動装置５００が行う動作のうちの主体的な動作部分の動作を行う部分であり、例えば、電動機で動作する機械装置部分であり、また、表示部５２１は、駆動電動部５２０における所定の部分の動作状態を検出して表示する部分であって、表示部５２１に警報信号２０７Ａを与えて警報表示することにより、装置の操作者は、停電になったことを知り、装置の動作を終了させる操作を開始するようにして、ＵＰＳ２００の充電量が保たれているうちに、停電しても装置が安全な状態になるように制御するようにしている。
【００１７】
図８の第４従来技術の構成が、図７の第３従来技術の構成と異なる箇所は、第１には、表示部５２１は、図示していないが、制御部５１０の中に設けてあり、残量信号２３０・停電信号２４０を制御部５１０に与えることにより、停電信号２４０にもとづく装置の動作を終了する制御を行わせるが、駆動電動部５２０の制御過程における終了制御のうちで、残量信号２３０の残量値に見合った終了制御を選択して終了させるように制御している箇所である。なお、第３従来技術・第４従来技術の各構成における終了動作の部分を種々に変形させた構成も周知である。
【００１８】
【発明が解決しようとする課題】
上記の第３従来技術・第４従来技術のような電動装置の構成では、ＵＰＳ２００により停電時の終了動作を安全に行わせることができるため、それに慣れ切ってしまい、停電時ではない通常のときに、うっかり、開閉器５５０を「開」動作させてしまい、電動装置５００を故障させ、または、重要な処理やデータを無駄にしてしまうとなどの失敗を招くという不都合がある。
このため、ＵＰＳ２００の機能を損なうことなしに、こうした不都合のない電動装置の電源制御方法ならびにその装置の提供が望まれているという課題がある。
【００１９】
【課題を解決するための手段】
この発明は、上記のような
常時は１次電源を電源出力として出力し、停電時にはこの１次電源により充電された電源にもとづいて上記の１次電源に代わる２次電源を上記の電源出力として出力する無停電電源装置、すなわち、ＵＰＳにもとづいて所定の動作を行う電動装置の電源制御方法において、
【００２０】
上記の１次電源を、第１の電源開閉部分を介して、上記のＵＰＳと、上記の１次電源により動作して上記の１次電源が与えられたときに第１の信号を所定の短時間だけ出力する第１の検出部分とに与える手順と、
上記の電源出力を、第２の電源開閉部分を介して、上記の電動装置に与えることにより上記の所定の動作を行わせるとともに、第２の信号を出力する手順と、
【００２１】
上記の第２の信号が無く、上記の第１の信号があることにもとづいて上記の第２の電源開閉部分を閉じ状態にすることにより上記の所定の動作を開始させるとともに、上記の閉じ状態を保持する手順と、
上記の所定の動作を終了するための第３の信号を出力する手順と、
上記の第２の信号と上記の第３の信号との両方があることにもとづいて第４の信号を出力する手順と
【００２２】
上記の第４の信号にもとづいて上記の第４の信号が出力された時点から上記の終了に要する所定の時間だけ遅れた時点に第５の信号を出力する手順と、
上記の第５の信号にもとづいて上記の第２の電源開閉部分を開く手順と
により構成した第１の方法と、
【００２３】
この第１の方法に加えて、
上記の所定の時間を予め定めた複数の時間のうちから選択する手順を設けた第２の方法と、
【００２４】
上記の第１の方法における電動装置と同様の電動装置の電源制御装置において、
第１の電源開閉部分により、上記の１次電源を、上記のＵＰＳと、上記の１次電源により動作して上記の１次電源が与えられたときに第１の信号を出力する第１の検出部分とに与える第１開閉手段と、
【００２５】
上記の電源出力を、第２の電源開閉部分を介して、上記の電動装置に与えることにより上記の所定の動作を行わせるとともに、第２の信号を出力する第２開閉手段と、
上記の第２信号の否定信号と上記の第１の信号との論理積にもとづいて上記の第２の電源開閉部分を閉じ状態にすることにより上記の所定の動作を開始させるとともに、上記の閉じ状態を保持する動作開始手段と、
【００２６】
上記の所定の動作を終了する旨を表す第３の信号を出力する第３信号手段と、
上記の第２の信号と上記の第３の信号との論理積にもとづいて第４の信号を出力する第４信号手段と、
上記の第４の信号にもとづいて上記の第４の信号が出力された時点から上記の終了に要する所定の時間だけ遅れた時点に第５の信号を出力する遅延信号手段と、
上記の第５の信号にもとづいて上記の第２の電源開閉部分を開く電源遮断手段とを設けた第１の装置と、
【００２７】
この第１の装置に加えて、上記の所定の時間を、予め設けた複数の時間のうちから選択する時間選択手段を設けた第２の装置と
により上記の課題を解決したものである。
【００２８】
【発明の実施の形態】
この発明の実施の形態を、上記の第３従来技術・第４従来技術の構成と同様の電源制御装置の構成に適用した実施例により説明する。なお、ＵＰＳ２００から出力される警報信号２０７Ａ・残量信号２３０・停電信号２４０にもとづく制御の部分は省略してあるが、必要に応じて、設けることが可能なものである。
【００２９】
【実施例】
以下、図１〜図４により実施例を説明する。図１〜図４において、図５〜図８の符号と同一符号で示す部分は、図５〜図８で説明した同一符号の部分と同一の機能をもつ部分である。また、図１〜図４において、同一符号で示す部分は、図１〜図４のいずれかで説明する同一符号の部分と同一の機能をもつ部分である。。
【００３０】
〔第１実施例〕
以下、図１により第１実施例を説明する。図１の構成は、概念的な構成であって、図中の符号は、後記の第２実施例の構成との対応を示すものである。また、図において、二重線で示す部分が、主として、電動装置５００に所定の動作を開始させる際の電源制御の手順に相当し、一重線で示す部分が、主として、電動装置５００の動作を終了させる際の手順に相当するものである。
【００３１】
図１の第１実施例の構成が、上記の第３従来技術・第４実施例の構成と異なる箇所は、第１には、電動装置５００の動作を開始させる際の電源投入操作を、電源装置５００に設けた第２の電源開閉部分５７０で行わずに、１次電源１００をＵＰＳ２００に与える第１の開閉部分１０１によって行うようにした箇所である。
【００３２】
また、第２には、電動装置５００の動作を開始させる際の動作電源を、第１の開閉部分１０１を介して与えられる１次電源１００を、ＵＰＳ２００を介さずに、直接的に導いた電源にもとづいて得るようにした箇所である。
【００３３】
そして、概括的には、
常時は１次電源１００を電源出力３００として出力し、停電時には、この１次電源１００により充電された電源にもとづいて上記の１次電源に代わる２次電源２１０を上記の電源出力３００として出力するＵＰＳ２００にもとづいて所定の動作を行う電動装置５００の電源制御方法において、
【００３４】
上記の１次電源１００を、第１の電源開閉部分１０１を介して、上記のＵＰＳ２００と、上記の１次電源１００により動作して上記の１次電源１００が与えられたときに第１の信号５８２ａを出力する第１の検出部分５８２とに与える手順と、
【００３５】
上記の電源出力３００を、第２の電源開閉部分５７０を介して、上記の電動装置５００に与えることにより上記の所定の動作を行わせるとともに、第２の信号５８６ａを出力する手順と、
【００３６】
〔状態の判別（１）〕のように、上記の第２の信号５８６ａが無く、上記の第１の信号５８２ａがあることにもとづいて、上記の第２の電源開閉部分５７０を閉じ状態にすることにより上記の所定の動作を開始させるとともに、上記の閉じ状態を保持、すなわち、上記の第２の電源開閉部分５７０を図３の「閉」状態のように保持する手順と、
【００３７】
上記の所定の動作を終了する旨を表す第３の信号５８７ａ、すなわち、上記の所定の動作を終了するための第３の信号５８７ａを出力する手順と、
〔状態の判別（２）〕のように、上記の第２の信号５８６ａと上記の第３の信号５８７ａとの両方があることにもとづいて第４の信号５８８ａを出力する手順と、
【００３８】
上記の第４の信号５８８ａにもとづいて上記の第４の信号５８８ａが出力された時点から上記の終了に要する所定の時間だけ、例えば、第４の信号５８８ａを遅延させて、３０秒間だけ遅れた時点に第５の信号、すなわち、「開」動作５８９ａを出力する手順と、
【００３９】
上記の第５の信号５８９ａにもとづいて上記の第２の電源開閉部分５７０を開く手順と
により構成した上記の第１の方法を構成しているものである。
【００４０】
また、この第１の方法に加えて、上記の所定の時間、例えば、第４の信号５８８ａを遅らせる時間を、複数の時間のうちから選択５８９Ａする手順を設ける上記の第２の方法を構成しているものである。
【００４１】
そして、具体的には、図１において、装置の動作開始時の電源制御は、第１の検出部分と〔状態の判別（１）〕を行うのに必要な動作電源を、例えば、１次電源１００の交流から所要の低電圧の直流に変換した直流電源にすることによって、これらの検出と判別とを可能にしてある。
【００４２】
また、装置の動作終了時の電源制御は、装置の操作者が第２の開閉部分５７０を直接的には開閉操作することなく、動作の終了を行う意図がある旨の信号、すなわち、動作を終了するための信号を、例えば、キースイッチのような操作器を操作して得られる信号を出力するのみで、その後の動作は、〔状態の判別（２）〕によって、遅延時間が与えられるので、この間に終了動作が済ませられる。
【００４３】
したがって、操作者が誤って終了操作をした場合でも、電動装置５００を故障させ、または、重要な処理やデータを無駄にしてしまうとなどの失敗を生ずるという不都合が解消されたことになる。また、ＵＰＳ２００の動作には無関係に目的の動作を行うことができる。なお、電動装置５００を、再度、動作開始させるには、第１の開閉部分１０１を、一度、手動で開いて、再度、閉じれば動作開始を行うことができる。
【００４４】
また、終了操作の際に、第１の開閉部分１０１を先に「開」状態にしたときに、所定の動作を終了する旨を表す第３の信号５８７ａ、すなわち、所定の動作を終了するための第３の信号５８７ａを出力させ、それ以後の動作をＵＰＳ２００の２次電源２１０によって動作させるようにして、再度、動作開始させる際には、第１の開閉部分１０１を「閉」状態にするだけで済ませるように構成することもできる。
【００４５】
なお、後者の第３の信号５８７ａを出力させる構成の場合において、図５・図７の構成のように、警報端子２０７をもつＵＰＳ２００を設けた構成、または、図６・図８のように、停電信号２４０を出力するＵＰＳ２００を設けた構成の場合には、第１の開閉部分１０１を先に「開」状態にすると、警報信号２０７Ａまたは停電信号２４０が出力されるので、この警報信号２０７Ａまたは停電信号２４０にもとづいて、第３の信号５８７ａを出力させるように構成して、同様に動作させることができる。
【００４６】
また、電動装置５００の制御部分、例えば、図８のＣＰＵ５１０と同様のＣＰＵに相当する部分（図示せず）に対しては、第３の信号５８７ａを、そのまま直ちに与えるようにして、動作中の制御処理ステップ部分の制御処理を終了動作を開始させ、この終了動作の際に、以後の制御処理に必要なデータなどを所定のメモリに記憶させて、ＣＰＵを電源を遮断し得る状態にするなどの終了動作を行わせる。
【００４７】
さらに、電動装置５００の制御対象が機械的な工程動作のように、工程途中で停止すると、例えば、加工具または加工物が次回の動作開始時に破損してしまうような制御対象の場合には、加工具または加工物をそうした破損を起こさない状態にする制御箇所まで動作させた後に制御の終了動作を行わせる。
【００４８】
〔第２実施例〕
以下、図２〜図４により、第２実施例を説明する。この第２実施例は、上記の図１の第１実施例の構成による方法を装置化した構成であって、上記の第４従来技術の構成と異なる箇所は、符号で対応させてみると、大略的には、上記の第１実施例で述べた箇所と同様である。
【００４９】
そして、概括的には、
上記の第１実施例で述べた第１の方法における電動装置５００と同様の電動装置５００の電源制御装置１０００において、
第１の電源開閉部分、例えば、開閉器１０１により、上記の１次電源１００を、上記のＵＰＳ２００と、上記の１次電源１００により動作して上記の１次電源１００が与えられたときに、第１の信号５８２ａを所定の短時間Ｔ１、例えば、１０秒だけ出力する第１の検出部分、例えば、回路電源５８１により動作する１次検出回路５８２とに与える第１開閉手段と、
【００５０】
上記の電源出力３００を、第２の電源開閉部分、例えば、開閉継電器５７０を介して、上記の電動装置５００に与えることにより上記の所定の動作を行わせるとともに、第２の信号５８６ａ、例えば、回路電源５８５の出力を動作検出回路５８６で検出して得られる信号５８６ａを出力する第２開閉手段と、
【００５１】
上記の第２信号５８６ａの否定信号５８４ａ、例えば、ＮＯＴ回路５８４の出力信号５８４ａと、上記の第１の信号５８２ａとの論理積５８３ａ、例えば、ＡＮＤ回路５８３の出力信号５８３ａにもとづいて上記の第２の電源開閉部分５７０、例えば、開閉継電器５７０の開閉切換５０７Ａを、「閉」状態にして、閉じることにより上記の所定の動作を開始させるとともに、上記の閉じ状態を保持、すなわち、上記の第２の電源開閉部分５７０を図３の「閉」状態のように保持する動作開始手段と、
【００５２】
上記の所定の動作を終了する旨を表す第３の信号５８７ａ、すなわち、上記の所定の動作を終了するための第３の信号５８７ａ、例えば、終了操作用キー５８７を操作して得られる５８７ａ信号を出力する第３信号手段と、
上記の第２の信号５８６ａと上記の第３の信号５８７ａとの論理積５８８にもとづいて、例えば、ＡＮＤ回路５８８によって、第４の信号５８８ａを出力する第４信号手段と、
【００５３】
上記の第４の信号５８８ａにもとづいて上記の第４の信号５８８ａが出力された時点から、例えば、遅延回路５８９によって、上記の終了に要する所定の時間Ｔ２、例えば、３０秒だけ遅れた時点に第５の信号５８９ａを出力する遅延信号手段と、
【００５４】
上記の第５の信号５８９ａにもとづいて上記の第２の電源開閉部分５７０、例えば、開閉継電器５７０の開閉切換回路５７０Ａを、「開」状態にして、開く電源遮断手段とを設けた上記の第１の装置を構成しているものである。
【００５５】
また、この第１の装置に加えて、上記の所定の時間Ｔ２を、予め設けた複数の時間、例えば、図４の〔切換検出部分ブロック構成〕ように、時間Ｔ２Ａ・Ｔ２Ｂ・Ｔ２Ｃのうちから、例えば、装置の終了動作に必要と判断される時間Ｔ２Ｂを選択する選択選択手段を設けた上記の第２の装置を構成しているものである。
【００５６】
そして、具体的には、図２において、回路電源５８１は、電動装置５００が動作状態になっていないとき、すなわち、電源出力３００が電動装置５００に動作電源３００Ａとして与えられていないときに、上記の図１の第１実施例における〔状態の判別（１）〕を行う際に動作させる箇所、例えば、１次検出回路５８２・ＡＮＤ回路５８３・ＮＯＴ回路５８４・開閉切換回路５７０Ａなどに、動作用電源を与えるための電源回路である。
【００５７】
このため、回路電源５８１は、１次電源１００の交流電圧から、例えば、抵抗分圧回路または変圧器と、整流器とによって、所要の低電圧の直流電圧ＤＣ１（図示せず）、例えば、５Ｖの直流電圧を得る回路であって、直流電圧ＤＣ１を上記の〔状態の判別（１）〕を行う際に動作させる箇所の動作用電源としているものである。
【００５８】
１次検出回路５８２は、開閉器１０１、すなわち、上記の第１の電源開閉部分１０１が「閉」状態になっていることを検出するために、１次電源１００Ａの電圧の有無を検出して、上記の第１の信号５８２ａを得るものであって、１次電源１００Ａの電圧を検出するものであるが、実際には、回路電源５８１の電圧を検出しても目的を果すことができるので、例えば、回路電源５８１の電圧をトランジスタによるバッファ回路とクロックパルスを計数して時間Ｔ１を得るカウンタ回路と、ＦＦ回路、すなわち、フリップフロップ回路とを通して得られる矩形波の信号を１次検出信号５８２ａを、上記の第１の信号５８２ａとして出力するようにしている。
【００５９】
ＡＮＤ回路５８３は、１次検出信号５８２ａ、すなわち、第１の信号５８２ａと、ＮＯＴ回路５８４の否定信号５８４ａ、すなわち、第２の信号５８６ａが無いことを表す信号との論理積により、上記の〔状態の判別（１）〕の動作を行なうものであって、例えば、トランジスタによるＡＮＤ回路により、ＡＮＤ信号５８３ａを開閉継電器５７０、すなわち、上記の第２の電源開閉部分５７０の開閉切換回路５７０Ａの「閉」動作信号５８３ａとして出力するものである。
【００６０】
ＮＯＴ回路５８４は、ＡＮＤ回路５８３における論理積の動作を、目的に沿った否定論理積の動作、すなわち、上記の〔状態の判別（１）〕の動作にするための否定動作を行わせるものであって、具体的には、動作検出回路５８６の動作検出信号５８６ａ、すなわち、第２の信号５８６ａが無い旨を表す信号として、ＮＯＴ信号５８４ａをＡＮＤ回路５８３に与えている。
【００６１】
開閉切換回路５７０Ａは、電源出力３００を、電動装置５００に動作電源として与えるための開閉継電器５７０、すなわち、上記の第２の電源開閉部分５７０に、あたかもトグルスイッチのように、「開」状態と「閉」状態とに交互に切り換える動作を行わせる回路であって、例えば、図４の〔開閉切換部分ブロック構成〕のような自己保持回路付きの継電器回路である。
【００６２】
図４の〔開閉切換部分ブロック構成〕において、太い実線で示す部分は、回路電源５８１によるＡＮＤ信号５８３ａと後記の回路電源５８５の直流電源５８２Ａとによって動作する部分であり、可動接点５７０ａ・５７０ｂ・５７０ｃは常時は「開」状態であって励磁コイル５７０Ａ１が励磁されている間だけ「閉」状態になり、可動接点５７０ｄは常時は「閉」状態であって励磁コイル５７０Ａ２が励磁されると「開」状態になる。
【００６３】
そして、ＡＮＤ信号５８３ａを励磁コイル５７０Ａ１に与えると、可動接点５７０ａ・５７０ｂ・５７０ｃが「閉」状態になって電源出力３００Ａが電動装置５００に与えられて電動装置５００は所定の動作を開始することになるので、後記の電源回路５８５の直流電源５８２Ａが出力され、この直流電源５８２Ａが可動接点５７０ｃを通って励磁コイル５７０Ａ１に与えられる。したがって、ＡＮＤ信号５８３ａが無くなった後でも、励磁コイル５７０Ａ１が直流電源５８２Ａにより励磁されて自己保持されるようになる。
【００６４】
この状態のときに、後記の遅延信号５８９ａを励磁コイル５７０Ａ２に与えると、可動接点５７０ｄが「開」状態になるので、励磁コイル５７０Ａ１の励磁回路が遮断されて、可動接点５７０ａ・５７０ｂ・５７０ｃが「開」状態になって、電動装置５００に与えていた電源出力３００Ａが遮断され、直流電源５８２Ａが無くなるので遅延信号５８９ａも無くなって励磁コイル５７０Ａ２の励磁が遮断され、可動接点５７０ｄが「閉」状態に戻り、電源制御装置５００の制御動作が終了することになる。なお、ダイオード５８３Ｄ・５８２ＤはＡＮＤ信号５８３ａ・直流電源５８２Ａの間の相互の逆流を防止するものである。
【００６５】
回路電源５８５は、上記の〔状態の判別（２）〕に必要な信号を得るための電源を得る回路であって、回路電源５８１と同様の構成により、例えば、直流電圧５Ｖの直流電圧ＤＣ２（図示せず）、すなわち、直流電源５８２Ａを得るとともに、直流電源５８２Ａを動作検出回路５８６・終了操作回路５８７・ＡＮＤ回路５８８・遅延回路５８９・開閉切換回路５７０Ａなどに与えている。なお、電動装置５００の動作上、同様の電源、例えば、図８のＣＰＵ５１０を動作させるための電源がある場合には、その電源を回路電源５８１に代えて用いることができることは言うまでもない。
【００６６】
動作検出回路５８６は、開閉器継電器５７０、すなわち、上記の第２の電源開閉部分５７０が「閉」状態になっていて、電動装置５００が動作状態になっていることを検出するために、例えば、回路電源５８１の直流電源５８２Ａの電圧の有無を検出して、上記の第２の信号５８６ａを得るものであって、直流電源５８２Ａの電圧をトランジスタによるバッファ回路を通して得られる信号を動作検出信号５８６ａを、上記の第２の信号５８６ａとして出力するようにしている。
【００６７】
終了操作回路５８７は、上記の「所定の動作を終了する旨」を表す第３の信号５８７ａ、すなわち、動作終了を意図する信号、つまり、上記の所定の動作を終了するための第３の信号５８７ａを出力するための回路であって、例えば、ばね戻り型の操作器によって出力信号を得る回路であり、キー操作を行ったときに直流電源５８２Ａの電圧の信号を終了操作信号５８７ａ、すなわち、第３の信号５８７ａとして出力し、その後は、ばねによって「開」状態に戻るものである。
【００６８】
ＡＮＤ回路５８８は、動作検出信号５８６ａ、すなわち、第２の信号５８６ａと、終了操作信号５８７ａ、すなわち、第３の信号５８７ａとの論理積により、上記の〔状態の判別（２）〕の動作を行なうものであって、例えば、トランジスタによるＡＮＤ回路により、ＡＮＤ信号５８８ａを上記の第４の信号５８８ａとして遅延回路５８９に与えるものである。
【００６９】
遅延回路５８９は、ＡＮＤ信号５８８ａ、すなわち、第４の信号５８８ａをこの第４の信号５８８ａが得られた時点から上記の所定の時間Ｔ２だけ遅らせた第５の信号５８９ａを得るための回路であって、例えば、クロックパルスを計数して、１秒程度ごとのパルス信号を得るカウンタ回路と、この１秒程度のパルス信号を計数して、時間Ｔ２、例えば、３０秒程度ごとのパルス信号を得るとカウンタ回路とを組み合わせた回路である。
【００７０】
そして、後者のカウンタ回路を、ＡＮＤ信号５８８ａ、すなわち、第４の信号５８８ａでリセットして、計数することにより、ＡＮＤ信号５８８ａ、すなわち、第４の信号５８８ａを時間Ｔ２だけ遅らせた遅延パルスの信号を遅延信号５８９ａ、すなわち、第５の信号５８９ａを、開閉切換回路５７０Ａに「開」動作を行うための信号として与えている。
【００７１】
なお、遅延回路５９８は、図４の〔切換検出部分ブロック構成〕における遅延量切換／選択回路５８８Ａのように、時間Ｔ２を複数の時間Ｔ２Ａ・Ｔ２Ｂ・Ｔ２Ｃのうちから選択するように切り換えるために、上記の後者のカウンタ回路の最高計数値を設定するスイッチを設けておき、このスイッチを切り換えることによって、例えば、複数の時間Ｔ２Ａ・Ｔ２Ｂ・Ｔ２Ｃのうちのいずれかに相当する遅延を行わせるように構成することができる。
【００７２】
以上の動作を、時系列的にみると、例えば、図３のように動作しているものである。そして、時間Ｔ１の箇所がＡＮＤ回路５８３、すなわち、上記の〔状態の判別（１）〕の動作を行っている箇所に相当し、また、遅延時間Ｔ２の始点の位置にある幅の小さいパルスの箇所が上記の〔状態の判別（２）〕の動作を行っている箇所に相当し、さらに、遅延時間Ｔ２の箇所がＡＮＤ信号５８８ａ、すなわち、第４の信号５８８ａを時間Ｔ２だけ遅らせた遅延パルスの信号を遅延信号５８９ａ、すなわち、第５の信号５８９ａを得ている箇所に相当するようになっているものである。
【００７３】
図２の構成における上記の〔状態の判別（１）〕と〔状態の判別（２）〕との動作を行う部分の構成は、さらに、具体的には、例えば、図４の〔切換検出部分ブロック構成〕ように、構成することができるものである。
【００７４】
図４の〔切換検出部分ブロック構成〕において、遅延量切換／選択回路５８８Ａは、図１で説明したＡＮＤ信号５８８ａ、すなわち、第４の信号５８８ａを遅らせる時間Ｔ２の時間を、複数の時間Ｔ２Ａ・Ｔ２Ｂ・Ｔ２Ｃのうちから選択するように切り換えるための切換スイッチ回路であり、例えば、上記のカウンタ回路の最高計数値を決めるためのものである。
【００７５】
そして、電動装置５００の終了動作に要する時間を予め測定しておき、その時間を時間Ｔ２Ａ・Ｔ２Ｂ・Ｔ２Ｃのうちから選択することによって、電動装置５００の終了動作を安全確実に行わせられるようにしたものである。なお、このように動作を行わせるために、各回路部分の入出力箇所に小さい○印を付けた方をＨレベル、つまり、所定の電圧が得られる出力にするように構成している。
【００７６】
したがっって、上記の第１実施例の場合と同様に、操作者が誤って終了操作をした場合でも、電動装置５００を故障させ、または、重要な処理やデータを無駄にしてしまうとなどの失敗を生ずるという不都合が解消されたことになり、また、ＵＰＳ２００の動作には無関係に目的の動作を行うことができる。
【００７７】
なお、電動装置５００を、再度、動作開始させるには、第１の開閉部分１０１を、一度、手動で開いて、再度、閉じれば動作開始を行うことができる。また、終了操作の際に、第１の開閉部分１０１の開閉部分１０１を先に「開」状態にした後に、終了操作回路５８７を操作することにより、それ以後の動作をＵＰＳ２００の２次電源２１０によって動作させるようにして、再度、動作開始させる際には、第１の開閉部分１０１を「閉」状態にするだけで済ませることもできる。
【００７８】
なお、装置の制御部分、例えば、図８のＣＰＵ５１０と同様のＣＰＵに相当する部分（図示せず）に対しては、第３の信号５８７ａを、そのまま直ちに与えるようにして、所定の終了動作を開始するようにしている点も、上記の第１実施例の場合と同様である。
【００７９】
〔変形実施〕
この発明は次のように変形して実施することを含むものである。
（１）警報信号２０７Ａ・残量信号２３０・停電信号２４０が得られないＵＰＳ２００を用いた構成に適用して構成する。
（２）電動装置５００にＣＰＵによらない制御部を設けた構成に適用して構成する。
【００８０】
（３）上記（２）の構成において、制御部がシーケンス制御を行う構成のものにおいて、シーケンス制御の段階または時系列の適宜の箇所ごとに、電動装置５００を故障させたり、所要のデータを失ったりしない動作段階で終了させるための終了動作に要する時間を予め測定しておくようにする。
【００８１】
そしてその各時間を遅延量切換／選択回路５８８Ａの時間Ｔ２における複数の時間、例えば、Ｔ２Ａ・Ｔ２Ｂ・Ｔ２Ｃ……など、つまり、遅延量に相当するとして定めておき、上記の適宜の段階または時系列の箇所ごとに、その複数の遅延量のうちの対応する遅延量を選択するように構成する。
【００８２】
（４）ＣＰＵ５１０による制御を行う構成に適用した構成において、遅延回路５８９に代えて、ＣＰＵ５１０などに用いる時計回路のタイマーを計時に用いるとともに、時間Ｔ２における複数の時間、例えば、Ｔ２Ａ・Ｔ２Ｂ・Ｔ２Ｃ……など、つまり、遅延量に相当するデータをＲＡＭまたはＲＯＭに記憶しておき、その記憶したデータするようにした遅延構成を設けて構成する。
【００８３】
（５）上記（４）の構成において、制御処理フローの適宜のステップごとに、電動装置５００を故障させたり、所要のデータを失ったりしない動作段階で終了させるための終了動作に要する時間を予め測定した複数の時間値のデータを上記の遅延量に相当するデータとして記憶しておき、上記の適宜のステップごとに、その複数の遅延量のうちの対応する遅延量を選択するように構成する。
【００８４】
（６）上記（５）の構成であって、残量信号２３０が得られるＵＰＳ２００を設けた構成において、終了動作中に停電になる場合があることを考慮して、残量信号２３０のデータにもとづいて、その複数の遅延量のうちで、残量のデータに見合うものを選択して終了動作するように構成する。
【００８５】
（７）開閉器１０１を、図２のような開閉型の開閉器に代えて、図４の〔１次開閉部分ブロック構成〕のように、終了操作回路５８７と同様のばね戻り型の接点をもつ開始操作器１０１を操作するだけで、図２の開閉継電器５７０と同様の開閉継電器１１０を動作させて開閉するように構成する。図４の〔１次開閉部分ブロック構成〕において、開閉継電器１１０の開閉切換回路１１０Ａは、図２の開閉切換回路５７０Ａと全く同様に、ＡＮＤ信号５８３ａで「閉」状態になり、遅延信号５８９ａで「開」状態に戻るように動作するものである。
【００８６】
したがって、電動装置５００の動作を開始する際には、開始操作器１０１を開閉継電器１１０が「閉」状態になるまでの僅かな時間だけ押すだけで済み、また、再度、開始動作を行う場合にも、開始操作器１０１を同様に操作するだけで済ませることができる。
なお、この構成の場合には、第１実施例の構成は、開始操作器１０１・開始継電器１１０の部分が第１の電源開閉部分１０１に相当することになる。
【００８７】
【発明の効果】
以上のように、この発明によれば、電動装置の動作開始を１次電源をＵＰＳに与える前の第１の開閉部分の「開」動作によって開始するようにし、また、〔状態の判別（１）〕のように、１次電源が与えられていることを表す信号と、電源装置には動作電源が与えられていないことを表す信号とがあること判別して、電動装置に動作電源を与えるようにしているので、開始動作を安全に行うことができ、また、その動作をＵＰＳの動作には無関係に行うことができる。
【００８８】
さらに、電動装置の終了動作時には、操作者が動作電源を直接的に遮断することなく、終了動作を行う旨の信号、なわち、動作を終了するための信号を与えるようにし、また、〔状態の判別（２）〕のように、電源装置には動作電源が与えられていて動作中であること表す信号と、終了動作を行う旨の信号、なわち、動作を終了するための信号とがあることを判別した時点から終了動作に必要な所要の時間を経過した後に、電動装置に与えている動作電源を遮断するようにしているので、操作者が誤って終了操作をした場合でも、電動装置を故障させたり、重要な処理やデータを無駄にしてしまったりするような失敗を未然に防止でき、また、その動作をＵＰＳの動作には無関係に行うことができるようにした電源制御装置を提供し得るなどの特長がある。
【図面の簡単な説明】
図面中、図１〜図４はこの発明の実施例を、また、図５〜図８は従来技術を示し、各図の内容は次のとおりである。
【図１】全体構成概念図
【図２】全体ブロック構成図
【図３】各部信号・動作構成図
【図４】要部ブロック構成図
【図５】要部ブロック構成図
【図６】要部ブロック構成図
【図７】全体ブロック構成図
【図８】全体ブロック構成図
【符号の説明】
１００  １次電源
１０１Ａ  １次電源
１０１  開閉器（第１の開閉部分）
２００  ＵＳＰ
２０１  自己切換器
２０１Ａ  可動接点
２０１Ｂ  可動接点
２０２  整流／充電回路
２０３  直流／交流変換器
２０４  充電量検出回路
２０５  切換検出回路
２０６  停電警報回路
２０７  警報端子
２０７Ａ  警報信号
２１０  ２次電源
２３０  残量信号
２４０  停電信号
３００  電源出力
５００  電動装置
５１０  制御部（ＣＰＵ）
５２０  駆動電動部
５２１  表示部
５５０  開閉器
５７０  開閉継電器（第２の電源開閉部分）
５７０Ａ  開閉切換回路
５７０Ａ１  励磁コイル
５７０Ａ２  励磁コイル
５７０ａ  可動接点
５７０ｂ  可動接点
５７０ｃ  可動接点
５７０ｄ  可動接点
５８１  回路電源
５８２  １次検出回路（第１の検出部分）
５８２Ａ  直流電源
５８２Ｄ  ダイオード
５８２ａ  １次検出信号（第１の信号）
５８３  ＡＮＤ回路
５８３Ｄ  ダイオード
５８３ａ  ＡＮＤ信号（「閉」動作）
５８４  ＮＯＴ回路
５８４ａ  ＮＯＴ信号（否定信号）
５８５  開閉電源
５８６  動作検出回路
５８６ａ  第２の信号
５８７  終了操作キー
５８７ａ  第３の信号
５８８  ＡＮＤ回路
５８８ａ  第４の信号
５８９Ａ  選択
５８９  遅延回路
５８９ａ  遅延信号（第５の信号）
５８９  遅延回路
１０００  電源制御装置
【図１】
0003639891.tif 000002
【図２】
0003639891.tif 000003
【図３】
0003639891.tif 000004
【図４】
0003639891.tif 000005
【図５】
0003639891.tif 000006
【図６】
0003639891.tif 000007
【図７】
0003639891.tif 000008
【図８】
0003639891.tif 000009